(57)【要約】【課題】信号処理回路への電力供給を制御するマイコンを小型に構成にすることができ、また、当該マイコンを含む基板レイアウトの単純化が可能な信号処理回路を実現する。【解決手段】信号処理装置１００におけるサブマイコン１０５は、制御信号入力端子１０１ｂおよび１０２ｂ、ならびに、処理対象信号入力端子１０３の少なくとも１つを介して信号の入力が開始された時点を示す、信号合成回路１０４により生成された電源ＯＮ要求信号に基づいて、信号処理回路１０７に供給する電力を制御する。サブマイコン１０５が電力制御のために参照する信号は、電源ＯＮ要求信号のみなので、サブマイコン１０５を小型に構成することができ、また、サブマイコン１０５を含む基板レイアウトを単純化することができる。【選択図】図１
2009009337.tif 000002
【特許請求の範囲】
【請求項１】
複数の端子の各々を介して入力された信号を処理する信号処理回路と、
上記複数の端子の少なくとも１つを介して信号の入力が開始された時点を示す、単一の指示信号を生成する指示信号生成手段と、
上記指示信号生成手段により生成された上記指示信号に基づき、上記信号処理回路に対する電力の供給を開始する電力制御手段と、を備えている、
ことを特徴とする信号処理装置。
【請求項２】
上記信号処理回路を制御するメインマイコンを更に備え、
上記電力制御手段は、上記信号処理回路および上記メインマイコンに対する電力の供給を制御する、上記メインマイコンとは異なるサブマイコンである、
ことを特徴とする請求項１に記載の信号処理装置。
【請求項３】
上記指示信号生成手段は、上記複数の端子の各々を介して入力されたデジタル信号のレベルに基づいて上記指示信号を生成する、
ことを特徴とする請求項１または２に記載の信号処理装置。
【請求項４】
上記複数の端子のうち特定の端子を介して入力されたアナログ信号を検出し、検出結果を示す２値信号を上記指示信号生成手段に送出するアナログ信号検出手段を更に備え、
上記アナログ信号検出手段は、上記特定の端子を介してアナログ信号が入力された時点で上記２値信号のレベルを変化させ、
上記指示信号生成手段は、上記特定の端子を除く上記複数の端子の各々を介して入力されたデジタル信号のレベル、および、上記アナログ信号検出手段から送出された上記２値信号のレベルに基づいて上記指示信号を生成する、
ことを特徴とする請求項１または２に記載の信号処理装置。
【請求項５】
上記複数の端子のうち特定の端子を介して入力された信号の宛先を検出し、検出結果を示す２値信号を上記指示信号生成手段に送出する宛先検出手段を更に備え、
上記宛先検出手段は、上記特定の端子を介して入力された信号の宛先が自装置であるとき上記２値信号のレベルを変化させ、
上記指示信号生成手段は、上記特定の端子を除く上記複数の端子の各々を介して入力されたデジタル信号のレベル、および、上記宛先検出手段から送出された上記２値信号のレベルに基づいて上記指示信号を生成する、
ことを特徴とする請求項１または２に記載の信号処理装置。
【請求項６】
上記指示信号生成手段は、組み合わせ論理回路である、
ことを特徴とする請求項１から５までの何れか１項に記載の信号処理装置。
【請求項７】
上記指示信号生成手段は、上記複数の端子の近傍に配置されている、
ことを特徴とする請求項１から６までの何れか１項に記載の信号処理装置。
【請求項８】
上記複数の端子には、ＨＤＭＩ端子が含まれている、
ことを特徴とする請求項１から７までの何れか１項に記載の信号処理装置。
【請求項９】
複数の端子と、該複数の端子の各々を介して入力された信号を処理する信号処理回路とを備えた信号処理装置における省電力化方法であって、
上記複数の端子の少なくとも１つを介して信号の入力が開始された時点を示す単一の指示信号を生成する指示信号生成工程と、
上記指示信号生成工程にて生成された上記指示信号に基づき、上記信号処理回路に対する電力の供給を開始する電力制御工程と、を含んでいる、
ことを特徴とする省電力化方法。
【発明の詳細な説明】
【技術分野】
【０００１】
本発明は、複数の端子の各々を介して入力された信号を処理する信号処理装置に関する。また、そのような信号処理装置の消費電力を削減する省電力化方法に関する。
【背景技術】
【０００２】
各種信号を処理する信号処理装置では、多機能化に伴いポート数が増加する傾向がある。例えば、最近の液晶テレビは、パーソナルコンピュータ接続機能、インターネット接続機能、および、ＨＤＭＩ（High Definition Multimedia Interface）を用いた他のＡＶ機器との接続機能などを有し、ＵＳＢポート、イーサネット（登録商標）ポート、ＨＤＭＩポートなどの各種端子を備えている。また、ＡＶ−映像端子、Ｓ端子、Ｄ端子、コンポジット端子、コンポーネント端子、Ｄ-Ｓｕｂ端子、ＡＶ−音声端子、マイク端子などのアナログ信号用の端子に加え、ＤＶＩ−Ｄ端子や光デジタル音声端子など、デジタル信号用の端子を備える必要も生じている。
【０００３】
一方、環境への配慮、および、ランニングコストに対する使用者の関心が高まっており、待機時の消費電力の低さがテレビなどの信号処理装置の購買条件の１つとして挙げられるようになってきている。したがって、複数の端子を備えたテレビなどの信号処理装置においては、待機時の消費電力を抑えると同時に、待機時にも複数の端子の各々を介して入力される信号を同時に監視しなくてはならない。
【０００４】
信号処理装置におけるものではないが、データ処理装置における省電力化方法としては、例えば、特許文献１に記載の方法が知られている。特許文献１に記載の省電力化方法は、キーボードやマウスなど複数の入力デバイスから入力される信号内容（動作情報）を監視し、所定期間内の無使用状態を認識したときに、表示装置などの電源を切断して省電力モードに入るものである。
【特許文献１】特開平６−３２４７７１号公報（公開日：１９９４年１１月２５日）
【発明の開示】
【発明が解決しようとする課題】
【０００５】
しかしながら、上記従来の省電力化方法においては、各入力デバイスから入力される複数の信号をそれぞれ監視する必要がある。また、各入力デバイスから入力される信号内容はまちまちであり、各信号内容に応じた監視を行う必要がある。したがって、各入力デバイスから入力される信号を監視する入出力制御手段が複雑化あるいは大型化するという問題を生じる。
【０００６】
また、複数の入力デバイスから入力された信号を、それぞれ入出力制御装置に引き回す複数の配線が必要であり、入力デバイス数が増加すると、基板レイアウトの複雑化や基板面積の増大を招来する。また、これらの配線は、デジタル回路にノイズを生じさせる要因にもなり得る。
【０００７】
本発明は、上記の問題に鑑みてなされたものであり、その目的は、信号処理回路への電力供給を制御する電力制御手段（マイコンなど）を小型に構成にすることができ、また、当該制御手段を含む基板レイアウトの単純化が可能な信号処理回路を実現することにある。
【課題を解決するための手段】
【０００８】
本発明に係る信号処理装置は、上記課題を解決するために、複数の端子の各々を介して入力された信号を処理する信号処理回路と、上記複数の端子の少なくとも１つを介して信号の入力が開始された時点を示す、単一の指示信号を生成する指示信号生成手段と、上記指示信号生成手段により生成された上記指示信号に基づき、上記信号処理回路に対する電力の供給を開始する電力制御手段と、を備えている、ことを特徴としている。
【０００９】
上記の構成によれば、上記電力制御手段は、上記指示信号に基づき、上記複数の端子の少なくとも１つを介して信号の入力が開始された時点で、上記信号処理回路への電力供給を開始することができる。また、それまでの間、上記信号処理回路への電力供給を停止することができる。したがって、上記信号処理回路に常時電力を供給し続ける場合と比べて、当該信号処理装置の消費電力を低減することができる。
【００１０】
しかも、上記電力制御手段は、上記単一の指示信号に基づいて上記信号処理回路への電力の供給を制御する。したがって、信号が入力される端子の数が増えても、上記電力制御手段は、複数の信号を処理する必要がない。このため、上記電力制御手段の小型化、低コスト化、低消費電力化を図ることができるという効果を奏する。また、上記複数の端子を介して入力される信号を上記電力制御手段に引き回すために、端子数と同数の配線を設ける必要がないので、上記電力制御手段を含む基板レイアウトを単純化することができるという効果を奏する。
【００１１】
本発明に係る信号処理装置は、上記信号処理回路を制御するメインマイコンを更に備え、上記電力制御手段は、上記信号処理回路および上記メインマイコンに対する電力の供給を制御する、上記メインマイコンとは異なるサブマイコンである、ことが好ましい。
【００１２】
上記構成によれば、上記複数の端子の少なくとも１つを介して信号の入力が開始されるまでの間、上記信号処理回路に加え、上記信号処理回路を制御するメインマイコンに対する電力供給を停止することができる。したがって、待機時の消費電力をより一層低減することができるという更なる効果を奏する。
【００１３】
なお、上記サブマイコンは、上記メインマイコンより小さい消費電力で動作するものであることが好ましい。また、上記メインマイコンに対して電力を供給するか否かを切り替えるスイッチが設けられている場合、上記電力制御手段（サブマイコン）は、上記指示信号に基づき当該スイッチを切り替えるように構成してもよい。
【００１４】
本発明に係る信号処理装置においては、上記指示信号生成手段は、上記複数の端子の各々を介して入力されたデジタル信号のレベルに基づいて上記指示信号を生成する、ことが好ましい。
【００１５】
上記構成によれば、上記複数の端子から入力される信号がデジタル信号である場合に、当該信号処理装置の消費電力を低減することができる。
【００１６】
本発明に係る信号処理装置は、上記複数の端子のうち特定の端子を介して入力されたアナログ信号を検出し、検出結果を示す２値信号を上記指示信号生成手段に送出するアナログ信号検出手段を更に備え、上記アナログ信号検出手段は、上記特定の端子を介してアナログ信号の入力が開始された時点で上記２値信号のレベルを変化させ、上記指示信号生成手段は、上記特定の端子を除く上記複数の端子の各々を介して入力されたデジタル信号のレベル、および、アナログ信号検出手段から送出された上記２値信号のレベルに基づいて上記指示信号を生成する、ことが好ましい。
【００１７】
上記構成によれば、上記複数の端子から入力される信号にアナログ信号が含まれる場合でも、当該信号処理装置の消費電力を低減することができる。
【００１８】
本発明に係る信号処理装置は、上記複数の端子のうち特定の端子を介して入力された信号の宛先を検出し、検出結果を示す２値信号を上記指示信号生成手段に送出する宛先検出手段を更に備え、宛先検出手段は、上記特定の端子を介して入力される信号の宛先が自装置であるとき上記２値信号のレベルを変化させ、上記指示信号生成手段は、上記特定の端子を除く上記複数の端子の各々を介して入力されたデジタル信号のレベル、および、上記宛先検出手段から送出された上記２値信号のレベルに基づいて上記指示信号を生成する、ことが好ましい。
【００１９】
上記構成によれば、上記特定の端子を介して入力された信号が自装置宛ての信号である場合に上記信号処理回路への電力供給が開始されるので、上記特定の端子を介して自装置宛てではない信号が入力された場合に上記信号処理回路への電力供給を開始して無駄に電力を消費することを防止することができるという更なる効果を奏する。
【００２０】
なお、上記特定の端子から入力される信号としては、当該信号の宛先を示す情報が含まれている信号であれば何でもよいが、例えば、当該信号処理装置を制御する制御信号などが挙げられる。
【００２１】
本発明に係る信号処理装置において、上記指示信号生成手段は、組み合わせ論理回路である、ことが好ましい。
【００２２】
上記構成によれば、上記指示信号生成手段を簡易に構成することができ、また、上記指示信号生成手段において消費する電力を削減することができる。
【００２３】
本発明に係る信号処理装置においては、上記指示信号生成手段は、上記複数の端子の近傍に配置されている、ことが好ましい。
【００２４】
上記の構成によれば、上記複数の端子を介して入力された信号を上記指示信号生成手段に伝送するための信号ラインをより短く構成することができるので、上記電力制御手段を含む基板レイアウトをより一層単純化することができるという更なる効果を奏する。
【００２５】
なお、本発明の信号処理装置における上記複数の端子には、ＨＤＭＩ端子が含まれていてもよい。
【００２６】
本発明に係る省電力化方法は、上記課題を解決するために、複数の端子と、該複数の端子の各々を介して入力された信号を処理する信号処理回路とを備えた信号処理装置における省電力化方法であって、上記複数の端子の少なくとも１つを介して信号の入力が開始された時点を示す単一の指示信号を生成する指示信号生成工程と、上記指示信号生成工程にて生成された上記指示信号に基づき、上記信号処理回路に対する電力の供給を開始する電力制御工程と、を含んでいる、ことを特徴としている。
【００２７】
上記の構成よれば、本発明に係る上記信号処理装置と同様の効果を奏する。
【発明の効果】
【００２８】
本発明の信号処理装置における電力制御手段は、上記複数の端子の少なくとも１つを介して信号の入力が開始された時点を示す単一の指示信号に基づいて、上記信号処理回路に供給する電力を制御する。
【００２９】
したがって、信号が入力される端子の数が増えても、上記電力制御手段が複数の信号を処理する必要がないので、上記電力制御手段の小型化、低コスト化、低消費電力化を図ることができる。また、上記複数の端子を介して入力される信号を上記電力制御手段に引き回すために、端子数と同数の配線を設ける必要がないので、上記電力制御手段を含む基板レイアウトを単純化することができる。
【発明を実施するための最良の形態】
【００３０】
（実施形態１）
本発明の第１の実施形態に係る信号処理装置１００について、図１から図３に基づいて説明すれば以下のとおりである。
【００３１】
図１は、信号処理装置１００の要部構成を示したブロック図である。
【００３２】
図１に示したように、信号処理装置１００は、コネクタ１０１と、コネクタ１０２と、処理対象信号入力端子１０３と、信号合成回路（指示信号生成手段）１０４と、サブマイコン（電力制御手段）１０５と、メインマイコン１０６と、信号処理回路１０７と、スイッチ１０８と、電源ライン１０９と、リモコン受信部１１０とを含んで構成されている。
【００３３】
コネクタ１０１は、処理対象信号入力端子１０１ａと、制御信号入力端子１０１ｂとを含んでいる。処理対象信号入力端子１０１ａは、信号処理装置１００が処理する処理対象信号を入力するための端子である。制御信号入力端子１０１ｂは、信号処理装置１００を制御する制御信号を入力するための端子であって、特に、デジタル信号である制御信号を入力するための端子である。コネクタ１０２も、コネクタ１０１と同様、処理対象信号を入力するための処理対象信号入力端子１０２ａと、デジタル信号である制御信号を入力するための制御信号入力端子１０２ｂとを備えている。
【００３４】
より具体的には、コネクタ１０１は、デジタル映像信号およびデジタル音声信号を入力するための処理対象信号入力端子１０１ａと、ＣＥＣ（Consumer Electronics Control）信号を入力するための制御信号入力端子１０１ｂとを含む、ＨＤＭＩ（High Definition Multimedia Interface）コネクタとして構成されている。コネクタ１０２も、同様である。
【００３５】
処理対象信号入力端子１０３は、信号処理装置１００が処理する処理対象信号を入力するための端子であって、特に、デジタル信号である処理対象信号を入力するための端子である。より具体的には、処理対象信号入力端子１０３は、デジタル映像信号を入力するためのＤＶＩ−Ｄ端子として構成されている。
【００３６】
なお、コネクタ１０１および１０２は、ＨＤＭＩコネクタに限定されるものではなく、デジタル信号である制御信号を入力するための制御信号入力端子を有するものであれば、処理対象信号の種類に応じた任意のコネクタであってよい。また、処理対象信号１０３は、ＤＶＩ−Ｄ端子に限定されるものではなく、ＵＳＢ端子、光デジタル音声端子など、デジタル信号を入力するための端子であれば何でもよい。
【００３７】
信号合成回路１０４は、制御信号入力端子１０１ｂおよび１０２ｂを介して入力された制御信号、ならびに、処理対象信号入力端子１０３を介して入力された処理対象信号に基づいて電源ＯＮ要求信号を生成し、生成した電源ＯＮ要求信号をサブマイコン１０５に送出する。
【００３８】
なお、信号合成回路１０４は、図１に示したように、コネクタ１０１および１０２、ならびに処理対象信号入力端子１０３の近傍に配置されており、これらの端子と信号合成回路１０４とを繋ぐ信号ラインを最短化し、基板レイアウトを単純化することができるようになされている。
【００３９】
信号生成回路１０４が生成する電源ＯＮ要求信号は、ＨまたはＬの何れかのレベルをとるデジタル信号である。信号合成回路１０４は、制御信号入力端子１０１ｂもしくは１０２ｂを介して制御信号の入力が開始された時点、または、処理対象信号入力端子１０３を介して処理対象信号の入力が開始された時点で、電源ＯＮ要求信号をアクティブレベル（予め定められたＨまたはＬの何れかのレベル）に変化させる。このため、信号生成回路１０４が生成する電源ＯＮ要求信号は、制御信号入力端子１０１ｂおよび１０２ｂ、ならびに、処理対象信号入力端子１０３の少なくとも１つを介して信号の入力が開始された時点を示す指示信号として機能する。
【００４０】
サブマイコン１０５は、メインマイコン１０６および信号処理回路１０７に供給する電力を、信号合成回路１０４から出力された電源ＯＮ要求信号に基づいて制御する。具体的には、電源ＯＮ要求信号がアクティブレベルに変化した時点で、スイッチ１０８を導通状態に切り替える。スイッチ１０８が導通状態に切り替えられると、電源ライン１０９からメインマイコン１０６および信号処理回路１０７への電力の供給が開始される。
【００４１】
リモコン信号受信部１１０は、リモートコントローラ（不図示）から発せられた赤外線を受光してリモコン信号に変換する赤外線受光部を含んで構成されており、得られたリモコン信号をサブマイコン１０５に出力する。サブマイコン１０５は、リモコン信号受信部１１０から供給されるリモコン信号に電源ＯＮ要求が含まれる場合にも、スイッチ１０８を導通状態に切り替える。なお、サブマイコン１０５は、信号合成回路１０４からの電源ＯＮ要求に基づいて電力供給を開始したのか、リモコン信号受信部１１０からの電源ＯＮ要求に基づいて電力供給を開始したのかを示す電源ＯＮ因子を、メインマイコン１０６に通知する。
【００４２】
メインマイコン１０６は、電源ライン１０９から供給される電力により動作し、制御信号入力端子１０１ｂおよび１０２ｂから入力された制御信号、ならびに、リモコン信号受信部１１０から入力されたリモコン信号に基づいて、信号処理回路１０７を制御する。また、信号処理回路１０７は、メインマイコン１０６と同様、電源ライン１０９から供給される電力により動作し、処理対象信号入力端子１０１ａ、１０２ａ、および１０３から入力された処理対象信号を処理する。
【００４３】
信号合成回路１０４における信号合成処理について、図２および図３を参照してもう少し詳しく説明する。
【００４４】
図２は、信号合成回路１０４における信号合成処理を説明する図であり、制御信号入力端子１０１ｂおよび１０２ｂを介して信号処理装置１００に入力されるＣＥＣ信号の具体例を示す。
【００４５】
信号処理装置１００に対してＣＥＣ信号を送出する外部装置は、無信号時にＨレベルにプルアップされているレベルをＬレベルに吸い込むことにより、図２に示したような信号波形を形成する。すなわち、ＣＥＣ信号は、Ｌレベルをアクティブレベルとするデジタル信号である。
【００４６】
処理対象信号入力端子１０３を介して信号処理装置１００に入力される処理対象信号も、図２に示したＣＥＣ信号と同様、デジタル信号である。したがって、信号合成回路１０４は、これらのデジタル信号のうち少なくとも１つがアクティブレベルであるとき、かつ、そのときに限ってアクティブレベルになる電源ＯＮ要求信号を生成する組み合わせ論理回路として構成することができる。
【００４７】
図３は、信号合成回路１０４の構成例を示すブロック図である。
【００４８】
図３に示した信号合成回路１０４は、インバータ５０１および５０２と、ＯＲゲート５０３とにより構成された組み合わせ論理回路である。インバータ５０１および５０２は、それぞれ、制御信号入力端子１０１ｂおよび１０２ｂを介して入力されたＣＥＣ信号を反転する。ＯＲゲート５０３は、インバータ５０１および５０２により反転されたＣＥＣ、ならびに、処理対象信号入力端子１０３を介して入力された処理対象信号の論理和を算出し、算出された論理和を電源ＯＮ要求信号としてサブマイコン１０５に送出する。
【００４９】
なお、ここでは、処理対象信号入力端子１０３を介して入力される処理対象信号として、Ｈレベルをアクティブレベルとするデジタル信号を想定した信号合成回路１０４の構成について説明したが、信号合成回路１０４の構成はこれに限らず、処理対象信号入力端子１０３を介して入力される処理対象信号の種類に応じて適宜変更することが可能である。例えば、処理対象信号入力端子１０３を介して入力される処理対象信号として、Ｌレベルをアクティブレベルとするデジタル信号が想定される場合には、当該処理対象信号を反転してＯＲゲートに入力するインバータを、図３に示した信号合成回路１０４に追加してもよい。
【００５０】
本実施形態に係る信号処理装置１００の構成によれば、制御信号入力端子１０１ｂもしくは１０２ｂを介して制御信号の入力が開始された時点、または、処理対象信号入力端子１０３を介して処理対象信号の入力が開始された時点で、メインマイコン１０６、および、信号処理回路１０７への電力供給を開始することができる。また、それまでの間、メインマイコン１０６、および、信号処理回路１０７への電力供給を停止することができる。したがって、メインマイコン１０６、および、信号処理回路１０７に対して常時電力を供給し続ける場合と比べて、信号処理装置１００の消費電力を低減することができる
（実施形態２）
本発明の第２の実施形態に係る信号処理装置２００について、図４および図５に基づいて説明すれば以下のとおりである。
【００５１】
図４は、信号処理装置２００の要部構成を示すブロック図である。
【００５２】
図４に示したように、信号処理装置２００は、コネクタ１０１と、コネクタ１０２と、処理対象信号入力端子１０３と、信号合成回路１０４と、サブマイコン１０５と、メインマイコン１０６と、信号処理回路１０７と、スイッチ１０８と、電源ライン１０９と、リモコン受信部１１０とを含んで構成されている。これらのブロックは、それぞれ、図１において同一符号により示した、信号処理装置１００の対応するブロックと同じ機能を有する。
【００５３】
これらのブロックに加え、本実施形態に係る信号処理装置２００は、宛先検出部（宛先検出手段）２０１および２０２を含んで構成されている。
【００５４】
宛先検出部２０１は、制御信号入力端子１０１ｂを介して入力された制御信号の宛先を検出し、検出結果を示す検出信号を信号合成回路１０４に送出する。宛先検出部２０１が信号合成回路１０４に送出する検出信号は、ＨまたはＬの何れかをレベルをとる２値信号であり、宛先検出部２０１は、入力された制御信号の宛先が自装置であるとき検出信号をアクティブレベル（予め定められたＨまたはＬの何れかレベル）に変化させる。宛先検出部２０２も同様に構成されており、制御信号入力端子１０２ｂを介して入力された制御信号の宛先が自装置であるときにレベルが変化する検出信号を、信号合成回路１０４に送出する。
【００５５】
信号合成回路１０４は、宛先検出部２０１もしくは宛先検出部２０２が出力する検出信号がアクティブレベルに変化した時点、または、処理対象信号入力端子１０３を介して入力される処理対象信号がアクティブレベルに変化した時点で、サブマイコン１０５に送出する電源ＯＮ要求信号をアクティブレベルに変化させる。サブマイコン１０５は、電源ＯＮ要求信号がアクティブレベルに変化した時点で、スイッチ１０８を導通状態に制御する。これにより、メインマイコン１０６、および、信号処理回路１０７への電力供給が開始される。
【００５６】
宛先検出部２０１および２０２における宛先検出方法について、図５を参照してもう少し詳しく説明する。
【００５７】
図５は、宛先検出部２０１および２０２における宛先検出方法を説明する図であり、宛先検出部に入力されるＣＥＣ信号の信号内容の具体例と、そのＣＥＣ信号に基づいて生成される検出信号の信号波形とを示している。
【００５８】
ＣＥＣ信号のヘッダーブロックには、図５に示したように、送信元アドレスと宛先アドレスとが含まれる。宛先検出部２０１および２０２は、入力されたＣＥＣ信号のヘッダーブロックに含まれる宛先アドレスを自装置のアドレスと比較し、入力されたＣＥＣ信号が自装置宛の制御信号であるか否かを判定する。そして、入力されたＣＥＣ信号が自装置宛の制御信号であると判定した場合、宛先検出部２０１および２０２は、例えば、送信元アドレスにＡＣＫを返すタイミングで、信号合成回路１０４に送出する検出信号をＨレベル（ここでは、Ｈレベルがアクティブレベルであるものとした）に立ち上げる。また、次に入力されるフレームの開始を示すＳＴを検出すると、出力信号をＬレベルに立ち下げる。
【００５９】
なお、ここでは、ＣＥＣ信号の宛先検出に好適な宛先検出方法について説明したが、宛先検出部２０１における宛先検出方法はこれに限らず、入力される制御信号の種類に応じて適宜変更することが可能である。
【００６０】
本実施形態に係る信号処理装置２００の構成によれば、制御信号入力端子１０１ｂもしくは１０２ｂを介して自装置宛ての制御信号の入力が開始された時点、または、処理対象信号入力端子１０３を介して処理対象信号の入力が開始された時点で、メインマイコン１０６、および信号処理回路１０７への電力供給を開始することができ、それまでの間、メインマイコン１０６、および、信号処理回路１０７への電力供給を停止することができる。すなわち、制御信号入力端子１０１ｂまたは１０２ｂを介して自装置宛てではない制御信号が入力されても、メインマイコン１０６、および、信号処理回路１０７への電力供給は開始されないので、実施形態１に示した信号処理装置１００と比べて、消費電力をより一層低減することができる。
【００６１】
なお、本実施形態では、図４に示したように、コネクタ１０１および１０２としてＨＤＭＩ端子を想定しているが、コネクタ１０１および１０２は、これに限らず、制御信号を双方向通信する通信規格に対応した、任意の端子により構成してもよい。たとえば、図４に示したコネクタ１０１および１０２を、デジタルデータ信号（デジタル映像信号、デジタル音声信号など）と一緒にデジタル制御信号であるＡＶ／Ｃコマンドを双方向通信する際に用いられるＩＥＥＥ１３９４端子に置き換えてもよい。
【００６２】
（実施形態３）
本発明の第３の実施形態に係る信号処理装置３００について、図６および図７に基づいて説明すれば以下のとおりである。
【００６３】
図６は、信号処理装置３００の要部構成を示すブロック図である。
【００６４】
図６に示したように、信号処理装置３００は、コネクタ１０１と、コネクタ１０２と、信号合成回路１０４と、サブマイコン１０５と、メインマイコン１０６と、信号処理回路１０７と、スイッチ１０８と、電源ライン１０９と、リモコン受信部１１０とを含んで構成されている。これらのブロックは、それぞれ、図１において同一符号により示した、信号処理装置１００の対応するブロックと同じ機能を有する。
【００６５】
これらのブロックに加え、本実施形態に係る信号処理装置３００は、アナログ信号入力端子３０１と、アナログ信号検出回路（アナログ信号検出手段）３０２と、スイッチ３０３とを含んで構成されている。
【００６６】
アナログ信号入力端子３０１は、信号処理装置３００が処理するアナログ信号を入力するための端子あり、より具体的には、アナログ映像信号を入力するためのＡＶ-映像端子である。ただし、アナログ入力端子３０１は、これに限らず、Ｓ端子、Ｄ端子、コンポジット端子、コンポーネント端子、Ｄ-Ｓｕｂ端子などの各種アナログ映像信号入力用端子であってもよいし、ＡＶ-音声端子、マイク端子などの各種アナログ音声信号入力用各種端子であってもよいし、さらには、アンテナ端子などの各種ＲＦ信号入力用端子であってもよい。
【００６７】
アナログ信号検出回路３０２は、アナログ信号入力端子３０１を介して入力されたアナログ信号を検出し、検出結果を示す検出信号を信号合成回路１０４に送出する。この検出信号は、ＨまたはＬの何れかをレベルをとる２値信号であり、アナログ信号検出回路３０２は、アナログ信号入力端子３０１を介してアナログ信号の入力が開始された時点で検出信号をアクティブレベル（予め定められたＨまたはＬの何れかレベル）に変化させる。
【００６８】
信号合成回路１０４は、制御信号入力端子１０１ｂもしくは１０２ｂを介して入力される制御信号がアクティブレベルに変化した時点、または、アナログ信号検出回路３０２が出力する検出信号がアクティブレベルに変化した時点で、サブマイコン１０５に送出する電源ＯＮ要求信号のレベルを、アクティブレベルに変化させる。サブマイコン１０５は、電源ＯＮ要求信号がアクティブレベルに変化した時点で、スイッチ１０８を導通状態に制御する。これにより、メインマイコン１０６への電力供給が開始される。
【００６９】
メインマイコン１０６は、電源ライン１０９から供給される電力により動作し、スイッチ３０３を導通状態に制御する。この際、メインマイコン１０６は、制御信号入力端子１０１ｂまたは１０２ｂから入力された制御信号の宛先を検出し、その制御信号の宛先が自装置であった場合に、スイッチ３０３を導通状態に制御するようにしてもよい。これにより、信号処理回路１０７への電力供給が開始される。
【００７０】
アナログ信号検出回路３０２におけるアナログ信号検出方法について、図７を参照してもう少し詳しく説明する。
【００７１】
図７は、アナログ信号検出回路３０２におけるアナログ信号検出方法を説明する図であり、アナログ信号検出回路３０２に入力されるアナログ映像信号の具体例と、そのアナログ映像信号に基づいて生成される同期分離信号と、その同期分離信号に基づいて設定される判定タイマーの値と、その判定タイマーの値に基づいて生成される検出信号とを示している。
【００７２】
アナログ信号検出回路３０２は、概略的にいえば、入力されたアナログ映像信号の同期を検出し、同期が検出された時点で検出信号をＨレベルに立ち上げる同期検出回路として構成されている。より具体的には、アナログ信号検出回路３０２は、以下の工程により、検出信号を生成する。
【００７３】
（工程１）入力されたアナログ映像信号を所定の閾値（同期分離スレッシュ）と比較し、入力されたアナログ映像信号のレベルがその閾値以下になるとき、かつ、そのときに限ってＨレベルに立ち上がる同期分離信号を生成する。
【００７４】
（工程２）時間経過とともに値が単調に増大する判定タイマーであって、同期分離信号がＨレベルに立ち上がる時点で値が初期値にリセットされる判定タイマーの値を所定の閾値（同期判定スレッシュ）と比較し、判定タイマーのリセット直前の値が予め設定された範囲内であれば、検出信号をＨレベルに立ち上げる（すなわち、判定タイマーの値が所定の下限値以下、または、所定の上限値以上であるとき「同期なし」とする）。
【００７５】
なお、ここでは、アナログ映像信号の検出に好適なアナログ信号検出方法について説明したが、アナログ信号検出回路３０２におけるアナログ信号検出方法はこれに限らない。同期信号が含まれるアナログ信号であれば、アナログ映像信号に限らず上記と同様の方法による信号検出が可能である。また、その他のアナログ信号に対しても、入力されたアナログ信号の種類に応じて検出方法を適宜変更することにより、本発明を適用することが可能である。
【００７６】
本実施形態に係る信号処理装置３００の構成によれば、制御信号入力端子１０１ｂもしくは１０２ｂを介して制御信号の入力が開始された時点、または、アナログ信号入力端子３０１を介してアナログ信号の入力が開始された時点で、メインマイコン１０６、および信号処理回路１０７への電力供給を開始することができる。また、それまでの間、メインマイコン１０６、および、信号処理回路１０７への電力供給を停止することができる。すなわち、入力される信号がアナログ信号である場合であっても、実施形態１に示した信号処理装置１００と同様に、消費電力を低減することができる。
【００７７】
（実施形態４）
本発明の第４の実施形態に係る信号処理装置４００について、図８に基づいて説明すれば以下のとおりである。信号処理装置４００は、アナログ放送およびデジタル放送に重畳された映像信号および音声信号、ならびに、各種端子を介して入力された映像信号および音声信号を処理するテレビジョン受像機として構成されている。
【００７８】
図８に示したように、ＨＤＭＩコネクタ４０１と、ＡＶ−映像端子４０２と、ＡＶ−音声端子４０３と、アナログ信号検出回路４０４と、信号合成回路４０５と、サブマイコン４０６と、メインマイコン４０７と、スイッチ４０８と、電源ライン４０９と、リモコン受信部４１０と、液晶表示パネル４１１と、スピーカ４１２と、放送信号受信部４２０と、信号処理回路４３０とを含んで構成されている。
【００７９】
信号処理装置４００は、概略的に言えば、（１）放送信号受信部４２０が受信した映像信号および音声信号、（２）ＨＤＭＩコネクタ４０１を介して入力された映像信号および音声信号、および、（３）ＡＶ−映像端子４０２およびＡＶ−音声端子４０３を介して入力された映像信号および音声信号から、出力する映像信号および音声信号を選択し、選択された映像信号を液晶表示パネル４１１を介して出力し、選択された音声信号をスピーカ４１２を介して出力するように構成されている
放送信号受信部４２０は、アナログ放送およびデジタル放送に重畳された映像信号および音声信号を受信するための構成であり、
・受信するべきチャンネルを選択する選局部４２１、
・選択されたチャンネルにて放送されているデジタル放送信号を受信するデジタルチューナー部４２２、
・受信したデジタル放送信号を復調するデジタル復調部４２３、
・復調されたデジタル放送信号から映像信号、音声信号、および、ＥＰＧデータなどの付加情報を分離する分離部４２４、
・分離された音声信号を復号するオーディオデコード部４２５、
・分離された付加情報を処理するＥＰＧ／ＯＳＤ予約処理部４２６、
・分離された映像信号を復号するビデオデコード部４２７、および、
・選択されたチャンネルにて放送されているアナログ放送信号を受信するアナログチューナー部４２８を含んで構成されている。
【００８０】
信号処理回路４３０は、
・ＨＤＭＩコネクタ４０１を介して入力された信号を処理し、映像信号と音声信号とに分離するＨＤＭＩ信号処理部４３１、
・アナログチューナー部４２８、および、ＡＶ−映像端子４０２から出力される映像信号のうちから何れか１つを選択し、また、アナログチューナー部４２８、および、ＡＶ−音声端子４０３から出力される音声信号のうちから何れか１つを選択するＡＶスイッチ部４３２、
・オーディオデコード部４２５、ＨＤＭＩ処理部４３１、および、ＡＶスイッチ部４３２から出力される音声信号のうちから何れか１つを選択するオーディオセレクタ部４３３、
・ビデオデコード部４２７、ＨＤＭＩ処理部４３１、および、ＡＶスイッチ部４３２から出力される映像信号のうちから何れか１つを選択するビデオセレクタ部４３４、
・オーディオセレクタ部４３３から出力される音声信号に基づいて、スピーカ４１２を駆動するオーディオ出力変換部４３５、および、
・ビデオセレクタ部４３４から出力される映像信号に基づいて液晶表示パネル４１１を駆動するビデオ出力変換部４３６を含んで構成されている。
【００８１】
ＡＶ−映像端子４０２を介して入力されたアナログ映像信号は、アナログ信号検出回路４０４に入力される。アナログ信号検出回路４０４は、図６に示したアナログ信号検出回路３０２と同様に構成されており、アナログ映像信号の入力が開始された時点でアクティブレベルに変化する検出信号を信号合成回路４０５に送出する。
【００８２】
信号合成回路４０５は、ＨＤＭＩコネクタ４０１の制御信号入力端子４０１ｂを介して入力される制御信号がアクティブレベルに変化した時点、または、アナログ信号検出回路４０４が出力する検出信号がアクティブレベルに変化した時点で、サブマイコン４０６に送出する電源ＯＮ要求信号のレベルを、アクティブレベルに変化させる。サブマイコン４０６は、電源ＯＮ要求信号がアクティブレベルに変化した時点で、スイッチ４０８を導通状態に制御する。これにより、メインマイコン４０７、および、信号処理回路４３０の各部への電力供給が開始される。
【００８３】
本実施形態に係る信号処理装置４００の構成によれば、制御信号入力端子４０１ｂを介してＣＥＣ信号の入力が開始された時点、または、ＡＶ−映像端子４０２を介してアナログ映像信号の入力が開始された時点で、メインマイコン４０７、および、信号処理回路４３０の各部への電力供給を開始することができる。また、それまでの間、メインマイコン４０７、および、信号処理回路４３０の各部への電力供給を停止することができる。したがって、メインマイコン４０７、および、信号処理回路４３０の各部に対して常時電力を供給し続ける場合と比べて、信号処理装置４００の消費電力を低減することができる。
【００８４】
なお、サブマイコン４０６は、放送信号受信部４２０の各部に対する電力供給を、メインマイコン４０７、および、信号処理回路４３０の各部に対する電力供給と同様に制御するようにしてもよい。これにより、信号処理装置４００の消費電力をより一層低減することができる。
【００８５】
（付記事項）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８６】
本発明は、複数の端子を備え、該複数の端子の各々を介して入力された各種信号を処理する信号処理装置に好適に利用することができる。
【図面の簡単な説明】
【００８７】
【図１】本発明の第１の実施形態を示すものであり、信号処理装置の要部構成を示したブロック図である。
【図２】本発明の第１の実施形態における信号合成処理を説明するためのものであり、信号合成回路に入力される制御信号（ＣＥＣ信号）の波形図である。
【図３】本発明の第１の実施形態を示すものであり、信号合成回路の構成例を示したブロック図である。
【図４】本発明の第２の実施形態を示すものであり、信号処理装置の要部構成を示したブロック図である。
【図５】本発明の第２の実施形態における宛先検出処理を説明するためのものであり、信号合成回路に入力される制御信号（ＣＥＣ信号）の具体例と、その制御信号に基づいて生成される検出信号の具体例を示す。
【図６】本発明の第３の実施形態を示すものであり、信号処理装置の要部構成を示したブロック図である。
【図７】本発明の第３の実施形態におけるアナログ信号検出処理を説明するためのものであり、アナログ信号検出回路に入力されるアナログ映像信号の具体例と、そのアナログ映像信号に基づいて生成される同期分離信号と、その同期分離信号に基づいて設定される判定タイマーの値と、その判定タイマーの値に基づいて生成される検出信号とを示す。
【図８】本発明の第４の実施形態を示すものであり、テレビジョン受像機として構成された信号処理装置の要部構成を示したブロック図である。
【符号の説明】
【００８８】
１００          信号処理装置
１０１              コネクタ
１０１ａ                処理対象信号入力端子
１０１ｂ                制御信号入力端子
１０２              コネクタ
１０２ａ                処理対象信号入力端子
１０２ｂ                制御信号入力端子
１０３              処理対象信号入力端子
１０４              信号合成回路（指示信号生成手段）
１０５              サブマイコン（電力制御手段）
１０６              メインマイコン
１０７              信号処理回路
１０８              スイッチ１０８
１０９              電源ライン
２００          信号処理回路
２０１              宛先検出部（宛先検出手段）
２０２              宛先検出部（宛先検出手段）
３００          信号処理回路
３０１              アナログ信号入力端子
３０２              アナログ信号検出回路（アナログ信号検出手段）
３０３              スイッチ
４００          信号処理装置（テレビジョン受像機）
【図１】
2009009337.tif 000003
【図２】
2009009337.tif 000004
【図３】
2009009337.tif 000005
【図４】
2009009337.tif 000006
【図５】
2009009337.tif 000007
【図６】
2009009337.tif 000008
【図７】
2009009337.tif 000009
【図８】
2009009337.tif 000010